(57)【特許請求の範囲】
【請求項１】
支持体に感熱記録層を形成した感熱記録シートに、感熱記録と熱転写記録とを併用して、感熱記録を行う第１の原稿と熱転写記録を行う他の原稿とを含む複数の原稿画像を重ねて多色記録する多色感熱・熱転写記録方法であって、熱転写記録に用いる熱転写ドナーシートの熱転写層に前記感熱記録シートの感熱記録層の発色反応を抑制する減感性物質を含ませる一方、第１の原稿を色付け設定した後スキャナで読取りながらこの原稿全体を感熱記録シートに感熱記録し、感熱記録シートを戻してから他の原稿を色付け設定し前記スキャナにより読取りながら熱転写記録により重ねて記録することを特徴とする多色感熱・熱転写記録方法。
【請求項２】
３枚以上の原稿画像を重ねて記録する場合に、最後の原稿を除く２枚目以降の原稿を画像および色付け情報をメモリしておき、最後の原稿の読取りに同期してメモリした他の原稿の画像を重ねて熱転写記録する請求項１の多色感熱・熱転写記録方法。
【請求項３】
支持体に感熱記録層を形成した感熱記録シートに、感熱記録と熱転写記録とを併用することにより感熱記録を行う第１の原稿と熱転写記録を行う他の原稿とを含む複数の原稿画像を重ねて多色記録する多色感熱・熱転写記録装置において、各原稿に対する色付け情報を記憶するメモリと、原稿を読取るスキャナと、前記感熱記録シートの感熱記録層に対向しこの感熱記録シートの送り方向に対して直交方向に相対往復動する発熱ヘッドと、前記感熱記録シートと前記発熱ヘッドとの間に設けられ前記発熱ヘッドにより熱転写される熱転写層に前記感熱記録層の発色反応を抑制する減感性物質を含む熱転写ドナーシートと、第１の原稿を感熱記録により予め前記感熱記録シートに記録した後、この感熱記録シートを戻してから他の原稿を熱転写記録により重ねて記録するプリント制御手段とを備えることを特徴とする多色感熱・熱転写記録装置。
【発明の詳細な説明】
【０００１】
【産業上の利用分野】
本発明は、感熱記録と熱転写記録とを併用することによって複数の原稿の画像を多色記録するようにした多色感熱・熱転写記録方法と、この方法の実施に直接使用する装置とに関するものである。
【０００２】
【従来の技術】
感熱記録シートに発熱ヘッド（サーマルヘッド）を用いて感熱記録する一方、この感熱記録シートに熱転写ドナーシート（以下インクリボンという）を重ねて熱転写記録を行うようにした記録装置が提案されている（特開昭５７−２１０８７２号）。
【０００３】
この既提案のものは、インクリボンに赤、青、黄の３原色と無色との各領域を一定間隔ごとに設けたものである（フルカラー方式という）。そしてインクリボンのいずれかの色の領域を、発熱ヘッドと感熱記録シートとの間に導いて印字するものである。すなわち、インクリボンの赤、青、黄の各領域を感熱記録シートに選択的に重ねて発熱ヘッドで加熱することにより、インクリボンのインクを感熱記録シートに熱転写させる。またインクリボンの無色の領域を感熱記録シートに重ねて発熱ヘッドで加熱することにより、感熱シートを発色させるものである。
【０００４】
【従来技術の問題点】
しかしこの方法では、インクリボンで熱転写を行うときの熱により、感熱記録シートの感熱記録層も同時に発色してしまうことになる。このため熱転写による発色と感熱による発色とが重なり混色してしまい、きれいな発色が得られなくなるという問題が生じる。
【０００５】
特に複数の原稿を重ねてプリント出力する場合には、異なる原稿で感熱記録する部分と熱転写記録する部分が重なることがある。この場合にも前記従来の装置では発色が重なって混色することになる。
【０００６】
【発明の目的】
本発明はこのような事情に鑑みなされたものであり、複数の原稿を重ねてプリント出力する場合に、感熱記録による発色と熱転写記録による発色とが混色せず、きれいな発色をさせることができる多色感熱・熱転写記録方法を提供することを目的とする。またこの方法の実施に直接使用する装置を提供することを他の目的とする。
【０００７】
【発明の構成】
本発明によればこの目的は、支持体に感熱記録層を形成した感熱記録シートに、感熱記録と熱転写記録とを併用して、感熱記録を行う第１の原稿と熱転写記録を行う他の原稿とを含む複数の原稿画像を重ねて多色記録する多色感熱・熱転写記録方法であって、熱転写記録に用いる熱転写ドナーシートの熱転写層に前記感熱記録シートの感熱記録層の発色反応を抑制する減感性物質を含ませる一方、第１の原稿を色付け設定した後スキャナで読取りながらこの原稿全体を感熱記録シートに感熱記録し、感熱記録シートを戻してから他の原稿を色付け設定し前記スキャナにより読取りながら熱転写記録により重ねて記録することを特徴とする多色感熱・熱転写記録方法により達成される。
【０００８】
原稿は３枚以上でもよく、この場合には２枚目の原稿は熱転写記録だけにするのがよい。
【０００９】
２枚目以降の原稿を重ねて記録する度に記録シートを元の位置に戻す代わりに、原稿の画像および色付け情報をメモリしておき、最後の原稿の読取りに同期してメモリした他の原稿の画像を重ねてプリント出力するようにしてもよい。
【００１０】
また他の目的は、支持体に感熱記録層を形成した感熱記録シートに、感熱記録と熱転写記録とを併用することにより感熱記録を行う第１の原稿と熱転写記録を行う他の原稿とを含む複数の原稿画像を重ねて多色記録する多色感熱・熱転写記録装置において、各原稿に対する色付け情報を記憶するメモリと、原稿を読取るスキャナと、前記感熱記録シートの感熱記録層に対向しこの感熱記録シートの送り方向に対して直交方向に相対往復動する発熱ヘッドと、前記感熱記録シートと前記発熱ヘッドとの間に設けられ前記発熱ヘッドにより熱転写される熱転写層に前記感熱記録層の発色反応を抑制する減感性物質を含む熱転写ドナーシートと、第１の原稿を感熱記録により予め前記感熱記録シートに記録した後、この感熱記録シートを戻してから他の原稿を熱転写記録により重ねて記録するプリント制御手段とを備えることを特徴とする多色感熱・熱転写記録装置により達成される。
【００１１】
【実施例】
図１は本発明の一実施例である画像処理装置の斜視図、図２はその内部構造を示す透視図、図３は側面の透視図、図４は正面の透視図、図５はスキャナの押え蓋の上面に設けたプリント操作パネルを示す図、図６は同じく色付け操作パネルを示す図、図７は制御系統のブロック図、図８は代表的な色付け処理の流れ図、図９はプリントヘッドの配置図、図１０はプリントヘッドの動作を示す図、図１１はプリント原理説明図、図１２はプリンタの動作の流れ図である。
【００１２】
【装置の概要】
これらの図１〜１２を用いて、まず本実施例の基本動作である１枚の原稿に多色付けを行う手順を説明し、その後に本発明の対象である複数原稿を重ねてプリントする手順を説明する。まず図１〜４に基づきこの画像処理装置の各部の配置構造を説明する。図１において符号１０は横長の筐体であり、その上面は上方へ開閉可能な蓋１２となっている。
【００１３】
筐体１０の内部には、図２、３に示すようにプリンタ１４が収容されている。このプリンタ１４は横向きに平行に配設されたペーパーロール１６と、プラテン１８とを有する。このプラテン１８はペーパーロール１６の手前側に位置し、ペーパーロール１６の下縁から引出されたペーパー２０はプラテン１８に掛け回されてプラテン１８の前縁から下方へ導かれる。なお１９はピンチローラであり、ペーパー２０をプラテン１８に押圧する。
【００１４】
そしてこのペーパー２０はさらにガイドローラ２２、２４によって筐体１０の前面下方から排出可能となっている。プラテン１８はフィードモータ２６によりベルト駆動され、ペーパー２０を送出方向または巻き戻し方向に送って位置決めする。
【００１５】
プリンタ１４は、プラテン１８の前面に沿って左右に走行する３個のプリントヘッド２８（２８ａ、２８ｂ、２８ｃ）を備える。プリントヘッド２８はガイドロッド３０にガイドされ、キャリッジモータ３２に巻き掛けたベルト３４により左右に送られる。プリントヘッド２８は後記の多色感熱・熱転写記録方式のものであり、ペーパー２０の全プリント幅３Ｄ（図４）を３等分するように間隔Ｄをもって移動し、それぞれの移動範囲の右端が復帰位置（ホームポジション、ＨＰ）とされる。
【００１６】
このプリンタ１４に用いるペーパー２０は感熱記録シートであり、例えば白地に黒を感熱発色するものが用いられる。それぞれのプリントヘッド２８にはペーパー２０の感熱発色の色と異なる１または複数の色のインクリボン（熱転写ドナーシート）と、１個の発熱ヘッドとが取付けられている。その構造については後記する。図４で３６はこのプリントヘッド２８によるプリント領域（記録領域）を示している。
【００１７】
図３で４０はカッタであり、プラテン１８の下方にあってプリントペーパー２０を切断する。すなわちペーパー２０を挟んで固定刃と可動刃とが対向し、可動刃がモータにより移動すると固定刃側に移動してペーパー２０をカットするものである。
【００１８】
４２はスキャナであり、蓋１２の上面の中央付近に位置する。このスキャナ４２は図４に示すように、蓋１２に上方から載せられた押え蓋４４と、この押え蓋４４と筐体１０の蓋１２との間に原稿４６を挟んで右から左へ送る搬送機構と、筐体１０内に収容されたＣＣＤラインセンサ４８と、原稿４６の搬送方向に直交する主走査ライン上の画像をこのラインセンサ４８に導く光学系とを備える。
【００１９】
搬送機構は図４に示すように原稿４６を上下から挟んで右から左へ送る４個の送りローラ５０で構成され、筐体１０側の２つのローラ５０はモータ（図示せず）によって回転駆動される。光学系は適宜数のミラー５２と、レンズ５４とで構成される。なお５６は光源である。
【００２０】
５８はデジタイザであり、このスキャナ４２の原稿４６の投入側、すなわち右側に隣接して蓋１２の上面に設けられている。このデジタイザ５８は図１に示すように座標検出用タブレット６０とスタイラスペン６２とを備える。タブレット６０は全面に広がる抵抗体をもち、スタイラスペン６２の先端でこのタブレット６０を押圧したときの抵抗値の変化から、座標を検出するものである。タブレット６０には、例えば右上隅が基準位置として決められ、原稿４６の右上隅をこの基準位置に位置合せして固定される。
【００２１】
６４はプリントデータを指令するプリント操作パネル、６６は色付け操作パネルであり、これらはスキャナ４２の押え蓋４４の上面に取付けられている。すなわち図１に示すように、押え板４４の上面の奥側に色付け操作パネル６６が、その手前側にプリント操作パネル６４が配列されている。これらの操作パネル６４、６６の操作については後記する。
【００２２】
プリンタ１４と、スキャナ４２と、デジタイザ５８と、操作パネル６４、６６などとは、それぞれインターフェース６８ａ〜ｄを介してバス７０に接続される（図７）。
【００２３】
バス７０にはまたＣＰＵ７２、ＲＯＭ７４、ＲＡＭ７６などが接続される。ＲＯＭ７４にはＣＰＵ７２の動作プログラムや種々の定数などがメモリされている。ＣＰＵ７２はこの動作プログラムに従って種々の制御を行う制御装置７８（図２、４）となるもので、プリンタ１４の制御装置を兼ねる。この制御装置７８はこの画像処理装置を作動させる際には、図８の動作流れ図に従った制御を行い、プリント時には各プリントヘッド２８を図１２に従った制御を行う。
【００２４】
【色付け編集操作】
次にこの実施例による色付け編集処理の操作を図８を用いて説明する。まず過去の色付けデータが残っている場合には、操作パネル６６の色付データ表示ＬＥＤ１０２（図６）が点灯しているから、このＬＥＤ１０２が点灯していれば操作パネル６６のオールクリヤキー１００を押してこの過去の色付けデータを消去しておく。色付けしない場合すなわち単色でプリントする場合（単色モード）には（ステップ２００）、そのまま原稿４６をスキャナ４２にセットし（ステップ２１２）、プリントさせればよい。
【００２５】
なおこの発明に係るプリンタ１４は、感熱記録シートを用いた感熱記録と、インクリボンによる熱転写記録とを併用するものである。このため色指定キー群１０４には熱転写記録用のキー群（１、２、３）と、感熱紙濃度用のキー群（４）とを別々に持つ。従って感熱記録の色付けを行うならキー群（４）の中の適宜濃度（Ａ〜Ｄ）を選択し、熱転写による色付けをするならキー群（１〜３）の適宜濃度（Ａ〜Ｅ）を選択すればよい。なおキー群（１、２、３）は、例えばそれぞれ赤、緑、青などとし、後記のプリントヘッド２８にセットするインクリボンの色に対応させる。
【００２６】
多色の色付けを行うのであれば（ステップ２００）、原稿４６をデジタイザ５８にセットする（ステップ２０２）。すなわち原稿４６の表を上にしてタブレット６０に載せ、その右上隅をタブレット６０の基準位置（右上隅）に位置合せする。次に色付け方法のモードを色変換または背景色のいずれかに選択する（ステップ２０４）。このモード選択は、切換キー１０６により行われる。すなわちこの切換キー１０６を押す度に色変換モードを示すＬＥＤ１０８ａと背景色モードを示すＬＥＤ１０８ｂとが交互に点灯し、選択されたモードを知ることができる。色変換のモードは、後記のように座標入力された画像（原稿で黒い部分）の色を変換するものである。背景色のモードは、座標入力された領域の背景（原稿で白い部分）の色を入力するものである。
【００２７】
次にデジタイザ５８によって色付けする領域の座標を入力する（ステップ２０６）。例えば画像に色付けをする場合（色変換モード）には色付けする画像を含む領域を指定する。この領域の指定はこの領域が四角ならその対角位置の２点を指定することにより行われる。この領域は多数の点をつないで多角形の領域を指定してもよい。背景塗りの場合も同様にして領域を指定する。
【００２８】
このように座標入力した後、その領域に対する色付けの色指定をキー群１０４を用いて行う（ステップ２０８）。以上のステップ２０４〜２０８の動作を全ての色付けが終るまで繰り返すことにより、全ての画像や領域に対する色付け編集が行われ（ステップ２１０）、その結果はＲＡＭ７６などにメモリされる。すなわち座標と色とに関するデータがメモリされる。色付け編集が終わると（ステップ２１０）、次にプリント動作に入る。
【００２９】
まず原稿４６をスキャナ４２にセットし（ステップ２１２）、操作パネル６４でプリント条件を設定する（ステップ２１４）。すなわち標準出力か写真出力か反転出力かの出力モードをキー１１０で選択し、原稿濃度をキー１１２で設定し、プリントサイズをキー１１４で設定する。これらの設定により出来上がるプリント結果を本番プリントの前に確認したい場合には、確認プリントキー１１６を押す（ステップ２１６）。
【００３０】
するとスキャナ４２が作動開始して原稿４６の画像を読取り、本番プリントより小さい画像（例えばＡ７サイズ）をプリント出力する（ステップ２１８）。このプリント動作はこの読取り中の画像に、すでに入力された色付けデータに基づいた色付けを並行して行う。すなわちスキャナ４２に連動しながら、プリンタ１４にプリントさせるように行われる。
【００３１】
このように小さく出力された確認プリントの結果を見て、さらに修正があれば修正部分に対して再度色編集を行う。本番プリントを行うためには、再び原稿４６をスキャナ４２にセットし（ステップ２２０）、スタート／ストップキー１１８を押す。すると原稿４６がスキャナ４２で読取られながら、同時に色付け処理が並行して行われ、プリント出力される（ステップ２２２）。このようにスキャナ４２で原稿４６を読取りながら並行してプリンタ１４に出力するので、画像メモリの容量が少なくて済む。
【００３２】
【プリンタ】
次に多色感熱・熱転写記録を行うプリンタ１４について説明する。このプリンタ１４は感熱紙をプリントペーパー２０とする一方、熱転写インクリボンによる熱転写も重ねて行うようにしたものである。３つのプリントヘッド２８は、それぞれ１つの発熱ヘッド１５０と、３つのリボンケース１５２（１５２ａ、１５２ｂ、１５２ｃ）とを持つ。なおこれらリボンケース１５２に収容するインクリボン（熱転写記録ドナーシート）１５４は、前記色付け操作パネル６６の色指定キー群１０４のキー１、２、３の色に対応して別々に設けられ、この実施例では赤、緑、青の３本である。
【００３３】
リボンケース１５２は図１０の（Ａ）、（Ｂ）に示すように発熱ヘッド１５０に対して移動可能である。同図の（Ａ）は全てのリボン１５４が発熱ヘッド１５０とペーパー２０との間隙から退出した状態を示す。同図の（Ｂ）はリボンケース１５２ａのリボン１５４が発熱ヘッド１５０とペーパー２０との間に入った状態を示す。同様にリボンケース１５２ｂ、１５２ｃのリボン１５４も発熱ヘッド１５０とペーパー２０との間に選択的に進入し得るものである。
【００３４】
感熱紙からなるペーパー２０は、図１１の（Ａ）に示すように支持体２０Ａと感熱記録層２０Ｂとを持つものである。感熱記録層２０Ｂはロイコ染料と顕色剤とを含む。またインクリボン１５４は支持体１５４Ａと、熱転写層１５４Ｂとを持つ。この熱転写層１５４Ｂは、前記感熱記録層２０Ｂのロイコ染料と顕色剤との発色反応を抑制する減感性物質と、有色染料および有色顔料の一方または両方とを含む。
【００３５】
ここに用いるロイコ染料、顕色剤、減感性物質、有色染料（顔料）については、同一出願人により出願された特願平５−２６４９９７号に詳しく説明されているので、ここではその説明を繰り返さない。
【００３６】
このペーパー２０の感熱記録層２０Ｂ側の面に発熱ヘッド１５０を接触させれば感熱記録層２０Ｂのロイコ染料と顕色剤の反応により発色（感熱発色）する。この実施例の場合には黒に発色する。図１１の（Ａ）で１５６はこの発色した部分を示す。発熱ヘッド１５０を所定座標位置で発熱させれば所定の座標位置だけを黒く発色させることができる。
【００３７】
このように感熱発色したペーパー２０にインクリボン１５４を載せて発熱ヘッド１５０で加熱すると、図１１の（Ｂ）に示すように熱転写による着色が行われる。すなわちインクリボン１５４の熱転写層１５４Ｂの減感性物質が感熱記録層２０Ｂの発色を抑制する一方、この熱転写層１５４Ｂに含まれる有色染料（または顔料）がペーパー２０の表面に転写される。
【００３８】
感熱記録層２０Ｂの発色が減感性物質で抑制されるので、有色染料（顔料）の発色が感熱記録層２０Ｂの発色と混色せず、鮮やかかつきれいになる。図１１（Ｂ）の１５６Ａは減感性物質により感熱記録層２０Ｂの発色が抑制された部分を示す。また１５８は転写されたインクリボン１５４の有色染料（顔料）の部分を示す。
【００３９】
【プリンタの動作】
この発明では１つの発熱ヘッド１５０を用いて感熱発色と熱転写とを行う。すなわち３つのプリントヘッド２８をそれぞれのホームポジションＨＰに置き、発熱ヘッド１５０を図１１の（Ａ）に示すようにペーパー２０に接触させて感熱記録を行う（図１２、ステップ３００）。図９の（Ａ）はこの時の各プリントヘッド２８の動作範囲がＤであることを示す。この発熱ヘッド２８の一度の記録動作により、発熱ヘッド２８の幅（ペーパー２０の送り方向の幅、約２２ｍｍ）の感熱記録が行われる。
【００４０】
発熱ヘッド２８は元のホームポジションＨＰに戻り（ステップ３０２）、ペーパー２０の同じプリント領域３６（図４参照）に対して次に熱転写記録を行う。すなわちまず最初のリボンケース１５２ａのリボン１５４を発熱ヘッド１５０とペーパー２０との間に進入させ（ステップ３０４）、発熱ヘッド１５０を移動させながら所定の座標位置で発熱させて熱転写させる（ステップ３０６）。そして発熱ヘッド１５０を元のホームポジションＨＰに戻し（ステップ３０８）、異なる色のインクリボン１５４に変えて他の２色について同様の動作を繰り返す（ステップ３１０、３１２）。図１０の（Ｂ）でＡ、Ｃ、Ｈ、Ｊは感熱記録した文字を、またＢは熱転写記録による文字を示す。
【００４１】
以上の動作をペーパー２０を間欠的に送りながら連続するプリント領域３６に対して繰り返す（ステップ３１４、３１６）。全ての領域３６のプリントが終われば、ペーパー２０を所定量送り、カッタ４０でカットする。
【００４２】
なお熱転写を行うと、熱転写層１５４Ｂに含まれていた有色染料（顔料）やワックス類がペーパー２０に移るから、この熱転写記録の後に発熱ヘッド１５０を直接ペーパー２０に接触させて感熱発色させると、ペーパー２０上の有色染料（顔料）やワックス類が発熱ヘッド１５０に付着する。このため、美しいプリントができなくなる。そこで本発明では感熱記録を先行させて行い、その後熱転写記録を行うようにした。このようにしたために１つの発熱ヘッド１５０による多色プリントが可能になるものである。
【００４３】
【重ねプリント】
以上の説明は、１枚の原稿に対して色付け処理を行い、必要に応じて確認プリントをした後に本番プリントを行うものである。次にこの装置を用いて複数の原稿を重ねてプリントする方法・装置について説明する。この場合にはまず色付け操作パネル６６の重ねプリント選択キー１０３（図６）を押しておく。
【００４４】
図１３は重ねプリントの概念図、図１４はその一実施例を示す動作流れ図である。この実施例で最初の原稿（第１の原稿）は感熱記録を行い、２枚目（第２の原稿）またはそれ以降の原稿は熱転写記録を行う。例えば図１３の（Ａ）に示す風景画を背景にして同図（Ｂ）に示す文字を重ねてプリントし、同図（Ｃ）の出力を得る場合を考える。
【００４５】
この実施例ではまず（Ａ）の背景を単一色に色付け設定し（図１４のステップ４００）、その色付け情報をＲＡＭ７６（図７）などにメモリする。そしてこの原稿（１）をスキャナ４２にセットしてその画像を読取り（ステップ４０２）、この画像読取りに同期してプリンタ１４で感熱記録によってプリント出力する（ステップ４０４）。
【００４６】
この第１の原稿（１）の感熱記録が終ると記録シート２０を元の位置に戻し（ステップ４０６）、色付け操作パネル６６の次頁キー１０３Ａを押してから次の第２の原稿（２）の色付け設定を行う（ステップ４０８）。この色付け設定は熱転写記録を含むものである。そしてこの原稿（２）をスキャナ４２で読取りながら（ステップ４１０）、記録シート２０に熱転写記録を行う（ステップ４１２）。
【００４７】
原稿（２）の熱転写記録部分は原稿（１）の感熱記録部分に重なれば、インクリボンに含まれる減感性物質の作用により原稿（１）または（２）の感熱記録が消える。このため熱転写の色が鮮やかに混色せずに表れる。
【００４８】
原稿が３枚以上ある時には、３枚目以降の原稿に対してもステップ４０６〜４１２の手順を繰り返せばよい。この際熱転写記録部分が重なると混色することがあるので、重ならないように色付け設定を行うのが望ましい。ここに原稿（１）に対応する感熱記録用原稿が複数枚あることも考えられるが、この場合には原稿（１）の１枚ごとに記録シート２０を戻してステップ４００〜４０４の手順を繰り返せばよく、実質的にはステップ４０６〜４１２の手順を繰り返すのと同じである。
【００４９】
図１５は他の実施例の動作流れ図である。この実施例では一部の原稿の画像とその色付け情報とをＲＡＭ７６などにメモリしておき、他の原稿の読取りに同期してこのメモリした内容を合成し、感熱記録とそれに遅れる熱転写記録とを重ねてプリント出力するものである。
【００５０】
すなわちまず重ねプリントキー１０３を押して感熱記録用の第１の原稿（１）を色付け設定する（ステップ５００）。スキャナ４２で画像を読取り（ステップ５０２）、これらをＲＡＭ７６にメモリする（ステップ５０４）。次に原稿次頁キー１０３Ａを押して第２の（２）を色付け設定し（ステップ５０６）、スキャナ４２で読取りながら（ステップ５０８）、この読取りに同期してメモリした内容を読出して画像の合成をコンピュータすなわちＣＰＵ７２で行う（ステップ５１０）。画像の合成はスキャナ４２の画像読取りに同期して行われ、同時にプリンタ１４に感熱記録が行われ（ステップ５１２）、これに続いて熱転写記録が行われる（ステップ５１４）。
【００５１】
図１６は本発明の実施例ではない参考実施例の動作流れ図である。この実施例は複数のスキャナを同期させ、複数の画像を読取りながら合成画像をプリント出力するものである。すなわち原稿が２枚の場合にはスキャナ４２の他にスキャナ４２Ａおよびインターフェース６８ｂＡを設ける（図７）。そしてまず原稿（１）を単色に色付け設定した後（ステップ６００）、原稿（２）を色付け設定し（ステップ６０２）。これらの色付け情報をメモリする。
【００５２】
次に原稿（１）、（２）をそれぞれ異なるスキャナ４２、４２にセットし、両スキャナ４２、４２を同期させて読取る（ステップ６０４）。またこの読取りに同期しながら両原稿（１）、（２）を合成し（ステップ６０６）、プリンタ１４に同時に出力する。この際感熱記録を先行させ（ステップ６０８）、熱転写記録はその後に行うことは勿論である（ステップ６１０）。
【００５３】
【プリンタの他の実施例】
以上の説明に用いたプリンタ１４は、３色のインクリボン１５４と、１つの発熱ヘッドを用いるとして説明したが、感熱記録用の発熱ヘッドと、熱転写記録用の１または複数の発熱ヘッドとを備えていてもよい。
【００５４】
以上の実施例では熱転写ドナーシートとして３色のインクリボン１５４を用いているが、１本のインクリボンにイエロー、マゼンタ、シアン、ブラックなどの異なる色の部分を順番に一定長さずつ設けたものであってもよい（フルカラー方式）。用いるインクリボン１５４は３色に限られず、３色以上としてもよいし、２色以下、例えば１色としてもよい。
【００５５】
またペーパー２０の支持体２０Ａに予め着色しておき、感熱発色および熱転写による発色を異なる色になるようにしておけば、プリントに使用可能な色の数をさらに増やすことができる。さらに複数のリボンケースをプリンタヘッドに一体化したものに代えて、リボンケース１５２をプリントヘッドのホームポジションにおいて載せ替えるようにしてもよい（ストッカー方式）。
【００５６】
前記実施例のプリンタ１４は、記録シート２０の一部のプリント領域３６を多色プリントしてから次のプリント領域３６のプリントを行うようにしている。しかしプリント出力する画像全体を感熱記録により記録した後、記録シート２０を戻して次に画像全体を熱転写記録するようにしてもよい。この熱転写記録はインクリボンの色を変える度に記録シート２０を戻して画像全体を色ごとに別々に記録することも可能である。この場合には各記録の度にスキャナに原稿（１）、（２）をセットしなおすことが必要であるのは勿論である。
【００５７】
【発明の効果】
請求項１の発明は以上のように、熱転写ドナーシートにロイコ染料と顕色剤との発色反応を抑制する減感性物質と有色染料または有色顔料を含ませておき、第１の原稿に対して感熱記録シートによる感熱記録を行った後、他の原稿を熱転写記録するものであるから、複数の原稿を重ねて多色プリントする場合にも感熱発色の部分と熱転写発色の部分との混色がなく、鮮やかできれいな多色プリントが可能になる。
【００５８】
ここに原稿をスキャナで読取るのと同期してプリントを行い、重ねる原稿ごとに記録シートを元に戻して複数の画像を重ねるから、原稿を複数回スキャナにセットする必要があるため操作が多少面倒であるが、装置が複雑にならず部品数の減少と低コスト化に適する。
【００５９】
また３枚以上の原稿を重ねて記録する場合に、メモリ容量を大きくしておき、最後の原稿を除く２枚目以降の原稿の画像とその色付け情報をメモリし、最後の原稿をスキャナで読取りながら複数原稿を合成し、同時にプリント出力させるようにしてもよい（請求項２）。この場合には熱転写記録部分が重なっても、優先順位を設けることにより熱転写記録部分同志の混色を防ぐことができる。
【００６０】
また熱転写記録する部分同志が重なる場合には、優先順位を設けておくことにより熱転写記録同志の混色を防ぐことができる。また請求項３の発明によれば、この方法の実施に直接使用する多色感熱・熱転写記録装置が得られる。
【図面の簡単な説明】
【図１】本発明の一実施例である画像処理装置の斜視図
【図２】その内部構造を示す透視図
【図３】側面の透視図
【図４】正面の透視図
【図５】スキャナの押え蓋の上面に設けたプリント操作パネルを示す図
【図６】同じく色付け操作パネルを示す図
【図７】制御系統を示すブロック図
【図８】代表的な色付け処理の流れ図
【図９】プリントヘッドの配置図
【図１０】プリントヘッドの動作を示す図
【図１１】プリント原理説明図
【図１２】プリンタの動作の流れ図
【図１３】本発明の概念を示す図
【図１４】本発明の一実施例の動作流れ図
【図１５】本発明の一実施例の動作流れ図
【図１６】本発明の実施例ではない参考実施例の動作流れ図
【符号の説明】
１０  筐体
１４  プリンタ
１８  プラテン
２０  プリントペーパー（感熱記録シート）
２８  プリントヘッド
４２、４２Ａ  スキャナ
４６  原稿
５８  デジタイザ
７８  プリント制御手段
１５０  発熱ヘッド
１５２  リボンケース
１５４  インクリボン（熱転写ドナーシート）
【図１】
0003596934.tif 000002
【図２】
0003596934.tif 000003
【図３】
0003596934.tif 000004
【図４】
0003596934.tif 000005
【図５】
0003596934.tif 000006
【図６】
0003596934.tif 000007
【図７】
0003596934.tif 000008
【図８】
0003596934.tif 000009
【図９】
0003596934.tif 000010
【図１０】
0003596934.tif 000011
【図１１】
0003596934.tif 000012
【図１２】
0003596934.tif 000013
【図１３】
0003596934.tif 000014
【図１４】
0003596934.tif 000015
【図１５】
0003596934.tif 000016
【図１６】
0003596934.tif 000017